(57)【要約】【課題】風呂水ポンプを詰らせることなく、風呂水給水を確実に行うことができる洗濯機を提供する。【解決手段】洗濯物を格納する洗濯槽３０と、水道栓から水道水を受けて洗濯槽に給水する給水弁６ｂと、風呂水を吸い上げて洗濯槽に供給するポンプ９と、給水弁とポンプの吐出口を結合する通水経路２８を具備する洗濯機において、給水弁を開き通水経路を介して水道水をポンプ内へ通水してポンプを洗浄する制御部１３を備えた。【選択図】図５
2014223130.tif 000002
【特許請求の範囲】
【請求項１】
洗濯物を格納する洗濯槽と、
水道栓から水道水を受けて前記洗濯槽に給水する給水弁と、
風呂水を吸い上げて前記洗濯槽に供給するポンプと、
前記給水弁と前記ポンプの吐出口を結合する通水経路と、
前記給水弁を開いて、前記通水経路を介し前記ポンプ内へ水道水を通水する制御部と、
を具備することを特徴とする洗濯機。
【請求項２】
請求項１に記載された洗濯機であって、
前記制御部は、前記水道水の前記ポンプへの通水を、前記洗濯槽への最後の風呂水給水の終了時に行うことを特徴とする洗濯機。
【請求項３】
請求項１に記載された洗濯機であって、
前記制御部は、前記水道水の前記ポンプへの通水を行う間、前記水道栓に水道水が逆流しない程度の速度で前記ポンプを駆動させることを特徴とする洗濯機。
【請求項４】
請求項３に記載された洗濯機であって、
前記制御部は、前記水道水の前記ポンプへの通水を行う間、前記ポンプをパルス駆動させることを特徴とする洗濯機。
【請求項５】
請求項１に記載された洗濯機であって、
前記ポンプの吸水口に吸水側ポンプ弁をさらに有しており、
前記制御部は、前記水道水を前記ポンプ内へ通水する間、前記吸水側ポンプ弁を閉じるべく制御することを特徴とする洗濯機。
【請求項６】
請求項１に記載された洗濯機であって、
前記ポンプの吐出口と前記通水経路との間に吐出側ポンプ弁をさらに有しており、
前記制御部は、前記水道水を前記ポンプ内へ通水する間、前記吐出側ポンプ弁を開くべく制御することを特徴とする洗濯機。
【請求項７】
請求項１に記載された洗濯機であって、
前記通水経路と前記洗濯槽との間に洗濯槽側給水弁をさらに有しており、
前記制御部は、前記水道水を前記ポンプ内へ通水する間、前記洗濯槽側給水弁を閉じるべく制御することを特徴とする洗濯機。
【発明の詳細な説明】
【技術分野】
【０００１】
本発明は、風呂水ポンプを詰らせることなく、風呂水給水を確実に行う洗濯機に関する。
【背景技術】
【０００２】
最近、環境意識への高まりから、洗濯機において、浴槽の残り湯を洗濯に利用することが増加している。浴槽の湯を利用する場合は、通常、ポンプを利用するが、多くの全自動洗濯機は、この風呂水給水用ポンプを内蔵している。使用する場合は、風呂水給水用ポンプの給水口に接続したホースの先端を浴槽内の水中に浸漬した状態で、多くの選択コースの中から風呂水を利用するコースを選択すると、洗剤洗いのための給水時、およびすすぎ洗いのための給水時に、風呂水給水ポンプが給水動作を行って、浴槽の水を洗濯槽内に供給するようになっている。
【０００３】
しかし、浴槽の残り湯は、水道水などの上水に消毒のために添加されている残留塩素が失われており、人体由来の汗や皮脂などの有機物を含み、また、温度も菌の繁殖に適した３０〜４０℃である。そのため、風呂水ポンプ内に風呂水を通水したまま放置しておくと、風呂水ポンプ内のヌメリやノロウィルスの発生原因となる。このことにより、水の流れが悪くなり、最終的に風呂水ポンプ内が詰まって風呂水が吸えなくなるため、何らかの対策が必要となる。
【０００４】
特許文献１は、水道水の通水経路と風呂水の通水経路を一部共通にすることにより、風呂水の通水経路を水道水で洗浄して、風呂水の通水経路から風呂水特有のヌメリやノロウィルスを排除する洗濯機を開示している。
【先行技術文献】
【特許文献】
【０００５】
【特許文献１】特開２００７−２０２７３９号公報
【発明の概要】
【発明が解決しようとする課題】
【０００６】
しかし、特許文献１に記載された方法は、風呂水の通水経路を洗浄することを示してはいるが、風呂水ポンプ内をどのように効果的に洗浄するかについて示してはいない。従って、風呂水給水ポンプにヌメリやノロウィルスが発生し、最終的には風呂水ポンプ内が詰まって風呂水が吸えなくなるという課題がある。
【０００７】
このような事情を鑑みて本発明はなされたものであり、本発明は、風呂水ポンプを詰らせることなく、風呂水給水を確実に行うことができる洗濯機を提供することを目的とする。
【課題を解決するための手段】
【０００８】
上記の課題を解決するために本発明に係る洗濯機は、洗濯物を格納する洗濯槽と、水道栓から水道水を受けて前記洗濯槽に給水する給水弁と、風呂水を吸い上げて前記洗濯槽に供給するポンプと、前記給水弁と前記ポンプの吐出口を結合する通水経路と、前記給水弁を開いて、前記通水経路を介して前記ポンプ内へ水道水を通水する制御部を具備することを特徴とする洗濯機である。
【発明の効果】
【０００９】
本発明によれば、風呂水ポンプを詰らせることなく、風呂水給水を確実に行うことができる洗濯機を提供できる。
上記した以外の課題、構成および効果は、以下の発明の実施形態の説明により明らかにされる。
【図面の簡単な説明】
【００１０】
【図１】本発明の一実施形態に係る洗濯機の一例を示す斜視図。
【図２】本発明の一実施形態に係る洗濯機の一例を示す背面図。
【図３】本発明の一実施形態に係る洗濯機の表示操作部の一例を示す平面図。
【図４】本発明の一実施形態に係る洗濯機の制御装置の一例を示すブロック図。
【図５】本発明の一実施形態に係る洗濯機の水の流路を示す模式図。
【図６】本発明の一実施形態に係る洗濯機の風呂水ポンプの外観斜視図。
【図７】同洗濯機の風呂水ポンプ洗浄工程を含む処理工程を示すフローチャート。
【図８】同洗濯機の風呂水ポンプ洗浄工程を含む洗い工程を示すフローチャート。
【図９】同洗濯機の風呂水ポンプ洗浄工程を含むすすぎ工程を示すフローチャート。
【発明を実施するための形態】
【００１１】
以下、本発明に係わる実施形態について、図を引用して詳細に説明する。
【００１２】
（本発明の一実施形態に係る洗濯機の構成）
図１は、本発明の一実施形態に係る洗濯機の一例を示す斜視図、図２は背面図である。
本発明の一実施形態に係る洗濯機Ｓは、図１および図２に示すように、少なくとも、機体の正面に設けられた表示操作部１と、水道栓からの給水管が接続される給水口２と、浴槽Ｂまで引廻されて設置されるお湯取ホースが接続される風呂水給水口３と、風呂水ポンプ９を有している。
【００１３】
図３は、本発明の一実施形態に係る洗濯機の表示操作部の一例を示す平面図である。表示操作部１は、スタート・一時停止スイッチ５１と、洗濯コース、洗乾コース、乾燥コースをそれぞれ設定する洗濯コーススイッチ５２、洗乾コーススイッチ５３、乾燥コーススイッチ５４と、入スイッチ５５、切スイッチ５６と、洗い時間、すすぎ回数、脱水時間、乾燥時間をそれぞれ表示する７セグメントＬＥＤによる残時間表示部５７、洗い時間表示部５８、すすぎ時間表示部５９、脱水時間表示部６０と、乾燥時間表示部６１を有している。
【００１４】
さらに表示操作部１は、洗い時間、すすぎ回数、脱水時間、乾燥時間をそれぞれ設定する洗いスイッチ６２、すすぎスイッチ６３、脱水スイッチ６４、乾燥スイッチ６５と、ＬＥＤでコースを表示するコース表示部６６を有している。
ここで、洗濯機Ｓの一実施形態において、運転コースは最大１２コース、洗い時間は０〜９９分、すすぎ回数は０〜９回、脱水時間は０〜９分、乾燥時間は０〜９９分を選択することができる。
【００１５】
図４は、本発明の一実施形態に係る洗濯機の制御装置の一例を示すブロック図である。洗濯機Ｓの制御装置は、家庭用コンセントに接続される電源４およびリレー５と、電源４に接続され洗濯機Ｓ全体の動作を制御するマイクロコンピュータ１３を有している。
洗濯機Ｓの制御装置は、それぞれがリレー５に接続されると共に駆動回路１９を介してマイクロコンピュータ１３に接続される主給水弁６と、吸水側ポンプ弁７と、吐出側ポンプ弁７ｂと、水道水弁６ｂと、排水弁８と、風呂水ポンプ９と、循環ポンプ１０と、蓋ロック１１と、モータ１２を有している。
【００１６】
さらに洗濯機Ｓの制御装置は、それぞれがマイクロコンピュータ１３に接続される不揮発性記憶装置１４と、蓋ロック検知センサ１５と、水位センサ１６と、振動センサ１７と、回転センサ１８と、モータ電流センサ２３と、操作パネルの操作スイッチ２０と、ＬＥＤ表示回路２１と、ブザー回路２２とを有している。
【００１７】
ここで、電源４は、家庭用電源からの交流１００Ｖを直流電圧に電圧変換して各部に電源を供給する電源回路である。
リレー５は、マイクロコンピュータ１３からの駆動信号に従って、リレー５に接続される各々の電磁弁や機器等へ電源電圧を供給する。
マイクロコンピュータ１３は、ＣＰＵ（中央処理装置）およびＲＯＭ（Read Only Memory）、ＲＡＭ（Random Access Memory）等の記憶装置を備えており、ＲＯＭ等に格納されたコンピュータプログラムに従って全体の動作等の制御処理を行う。
【００１８】
駆動回路１９は、電源４から供給された電源に基づいて各々の電磁弁や機器等へ駆動電流を供給する回路である。
主給水弁６は、外槽３２への水道水または風呂水の給水を制御する電磁弁である。
吸水側ポンプ弁７および吐出側ポンプ弁７ｂは、風呂水ポンプ９への残り湯等の流入を制御する電磁弁である。
【００１９】
水道水弁６ｂは、水道栓からの水道水の流出および風呂水ポンプ９からの残り湯等の流入を制御する電磁弁である。
排水弁８は、回転ドラム３１および外槽３２内の洗濯水等の排水を制御する電磁弁である。
風呂水ポンプ９は、お湯取ホースＨを介して浴槽Ｂから残り湯を汲み出して洗濯機Ｓの回転ドラム３１または外槽３２に供給する。
【００２０】
循環ポンプ１０は、回転ドラム３１および外槽３２内の洗濯水等を外槽３２の左右の循環シャワーノズル３３，３４を用いて循環させる。
蓋ロック１１は、洗濯中などに洗濯槽である回転ドラム３１の蓋が開かないように電気的にロックする機構である。
モータ１２は、洗濯工程やすすぎ工程、乾燥工程において、回転体である回転ドラム３１等を回転させる回転子である。
【００２１】
不揮発性記憶装置１４は、洗濯機Ｓの全体の動作を司るコンピュータプログラム等を記憶領域に格納させる素子である。
蓋ロック検知センサ１５は、洗濯機Ｓの蓋が蓋ロック１１の機構により現在ロックされているかどうかをマイクロコンピュータ１３に出力する素子である。
【００２２】
水位センサ１６は、回転ドラム３１および外槽３２内の洗濯水等の水位を検出してマイクロコンピュータ１３に出力する素子である。
振動センサ１７は、脱水工程時に回転ドラム３１を高速回転させた場合に、回転ドラム３１を支持する外槽に過大な振動が発生した際に脱水運転を停止するために、回転ドラム３１、外槽３２等の振動を検知して、マイクロコンピュータ１３に出力する素子である。
【００２３】
回転センサ１８は、回転子であるモータ１２の回転数を検出して、マイクロコンピュータ１３に出力する素子である。
モータ電流センサ２３は、モータ１２の電流値および過電流を検出して、マイクロコンピュータ１３に出力する素子である。
【００２４】
操作パネルの操作スイッチ２０は、表示操作部１に設けられたスタート・一時停止スイッチ５１や洗濯コーススイッチ５２等の洗濯機の操作のためのスイッチである。
ＬＥＤ表示回路２１は、表示操作部１の洗い時間表示部５８、すすぎ時間表示部５９等のＬＥＤ表示、または操作表示部６６のＬＥＤを駆動する回路である。
ブザー回路２２は、洗濯工程の開始や終了またはエラーの発生を使用者に知らせるために警告音を発生させる回路である。
【００２５】
（洗濯機の水の流路）
図５は、本発明の一実施形態に係る洗濯機の水の流路を示す模式図である。
洗濯機Ｓにおいて、図５に示すように、水道栓からの給水ホースが接続されるための給水口２が、通水管路２６を介して主給水弁６、給水弁２４，２５に接続されており、その途中に水道水弁６ｂが設けられている。
【００２６】
同様に、風呂の残り湯のお湯取りホースが接続されるための風呂水給水口３が、通水管路２６を介して主給水弁６、給水弁２４，２５に接続されており、その途中に吸水側ポンプ弁７、風呂水ポンプ９、吐出側ポンプ弁７ｂが設けられている。
ここで、給水口２は水道栓からの給水管が接続される部分である。風呂水給水口３は、お湯取ホースＨが接続される部分であり、お湯取ホースＨは、浴槽Ｂまで引廻されて浴槽Ｂ内の水中に浸漬される。
【００２７】
また、図６は風呂水ポンプ９の外観斜視図であり、風呂水ポンプ９は、図６に示すように吸水口９ａから風呂水を吸水して、吐出口９ｂから吸水した風呂水を吐出するように成っている。本発明の実施形態の一つである風呂水ポンプは、吐出口９ｂから水道水を注入して内部を洗浄するものである。
【００２８】
また、通水管路２６は、給水口２と、水道水弁６ｂと、給水弁２４と、給水弁２５と、給水弁３８とを接続すると同時に、風呂水給水口３と、吸水側ポンプ弁７と、風呂水ポンプ９と、吐出側ポンプ弁７ｂと、主給水弁６と、給水弁２４と、給水弁２５と、給水弁３８とを接続している。
【００２９】
第１の主給水弁６は、洗濯工程の中の詳細工程である洗い工程およびすすぎ工程において開かれる電磁弁であり、接続ホース２７、洗剤容器２９、接続ホース３０を経由して外槽３２に接続される。これにより、主給水弁６を開くことにより、給水口２から給水される水道水または風呂水給水口３から給水される風呂水が、洗剤容器２９に投入された洗剤と共に外槽３２の内壁面に沿って流れ込む。
【００３０】
第２の給水弁２４は、洗濯工程の中の詳細工程であるシャワーすすぎ工程において開かれる電磁弁であり、図示しない前面カバーの裏面側に配設されたシャワーパイプに接続ホース２８を介して接続され、回転ドラム３１内に散水可能とする。
【００３１】
第３の給水弁２５は、乾燥工程の終了時に一時的に開かれる電磁弁であり、排水管路４０に接続される。これにより、給水弁２５を開くことにより、給水口２から給水される水道水が、排水トラップ４２に給水され、排水トラップ４２の機能を回復させる。
【００３２】
循環ポンプ１０は、内部に循環ポンプモータを備えており、外槽３２の底面の排水口が接続ホース３６を介して循環ポンプ１０の吸込口に接続される。また、循環ポンプ１０の２つの吐出口の一方が通水管路３５を介して外槽３２の左右の循環シャワーノズル３３，３４に接続される。また、循環ポンプ１０の２つの吐出口の他方が通水管路３５ｂを介して外槽３２の流入口に接続される。
【００３３】
また、循環ポンプ１０の吸込口は、接続ホース３６を介して外槽３２の排水口に接続される。循環ポンプ１０の自然排水口が接続ホース３７を介して排水弁８に接続される。また、排水弁８の他端は、排水管路を介して排水ホース４０および排水トラップ４２に接続される。
【００３４】
また、給水弁３８は、管路を経由して循環ダクト（戻り風路）３９に接続されており、循環ダクト（戻り風路）３９は、管路４１を介して、排水ホース４０および排水トラップ４７に接続される。
【００３５】
排水弁８を開くことにより、外槽３２内の水は、外槽３２の排水口から循環ポンプ１０の吸込口および自然排水口、排水弁８を経由して、機外に排水される。循環ポンプ１０は、排水弁８を閉じた状態において、接続ホース３６を介して水（循環水）を吸い込み、通水管路３５ｂを介して循環水を吐出する。これにより、洗濯工程の最初の給水時の初期において、洗剤と給水を混ぜ、洗剤を給水に良く溶かすように回転ドラム３１内の水を循環させることができる。
【００３６】
その後、循環ポンプ１０は、排水弁８を閉じた状態において、吸込口から水（循環水）を吸い込み、通水管路３５ｂを介して循環水を吐出する。循環ポンプ１０は、洗剤と良く混ざった水を通水管路３５および循環シャワーノズル３３，３４を介して回転ドラム３１内の洗濯物に散水して、洗剤を浸み込ませることができる。
【００３７】
（本発明の一実施形態に係る洗濯機における風呂水ポンプの洗浄処理）
次に上記した構成をもつ洗濯機Ｓにおいて、本発明の一実施形態の特徴である風呂水ポンプの洗浄処理を含む処理工程について図面を用いて説明する。図７は、同洗濯機の風呂水ポンプ洗浄工程を含む処理工程を示すフローチャート、図８は、風呂水ポンプ洗浄工程を含む洗い工程を示すフローチャート、図９は、風呂水ポンプ洗浄工程を含むすすぎ工程を示すフローチャートである。
【００３８】
上述したように、風呂水ポンプ９の内部においても、風呂水のお湯取ホースＨ等と同様に、使用し続けると、ヌメリやノロウィルスが発生して最終的には風呂水ポンプ９内が詰まって風呂水が吸えなくなる。この実施形態では、使用者が特に操作することなくとも、制御部であるマイクロコンピュータ１３の自動的な動作によって、水道水を風呂水ポンプ９内に通水して内部を洗浄することにより、このような不具合を解消するものである。
【００３９】
洗濯機Ｓの制御部であるマイクロコンピュータ１３は、図７に示すように、電源投入された後、設定された状態または初期設定を確認し（ステップＳ１１)、確認した設定に応じて、洗濯機の設定コースを表示操作部１のコース表示部６６に表示する。次に、マイクロコンピュータ１３は、表示操作部１の洗濯コーススイッチ５２の操作に応じて、使用者の洗濯コースの設定を行う（ステップＳ１２）。マイクロコンピュータ１３は、スタートスイッチの押下を検出すると、設定された洗濯コースと洗い時間、すすぎ回数、脱水時間、乾燥時間、風呂水利用の有無に従って、設定された洗濯コースを実行する（ステップＳ１３）。マイクロコンピュータ１３は、風呂水ポンプ洗浄工程を含む洗い工程を適宜行う（ステップＳ１４）。
【００４０】
すなわち、マイクロコンピュータ１３は、図８のフローチャートに示すように、洗い工程において、水位センサ１６を用いて初期水位判定を行い（ステップＳ３１)、回転ドラム３１および外槽３２内に水が入っていなければ、洗剤量や水量を決定するため洗濯物の重量のセンシングを行う（ステップＳ３２)。マイクロコンピュータ１３は、ステップＳ３１において、回転ドラム３１および外槽３２内に十分な水位があれば、洗剤量等を決定するための洗濯物の重量のセンシングを行うことなく、ステップＳ３７の洗いの攪拌パターンに進む。
マイクロコンピュータ１３は、センシングした結果に基づいて、洗濯に必要な水量および洗剤量を決定し、その水量の分だけ槽内に洗い給水を行う（ステップＳ３３)。
【００４１】
マイクロコンピュータ１３は、運転前に風呂水での給水が設定されていると判断すると（ステップＳ３４)、吸水側ポンプ弁７および吐出側ポンプ弁７ｂを開き、水道水弁６ｂを閉じ、主給水弁６を開き、風呂水ポンプ９を起動して、風呂水を用いて回転ドラム３１および外槽３２に給水を行う（ステップＳ３５)。
【００４２】
マイクロコンピュータ１３は、ステップＳ３４で、風呂水での給水が設定されていないと判断すると、吸水側ポンプ弁７および吐出側ポンプ弁７ｂを閉じ、水道水弁６ｂを開き、主給水弁６を開き、風呂水ポンプ９を起動せずに、水道水を回転ドラム３１および外槽３２に給水する（ステップＳ３６）。
【００４３】
マイクロコンピュータ１３は、回転ドラム３１および外槽３２に必要な分だけ水が溜まったと水位センサ１６からの信号に基づいて判断すると、給水時に開いた水道水弁６ｂおよび主給水弁６を閉じて、駆動回路１９を制御することでモータ１２を制御して、洗いの攪拌パターンを実行する（ステップＳ３７)。
【００４４】
マイクロコンピュータ１３は、洗いの攪拌が終了したと判断すると、現在の風呂水給水が最終給水の設定(例えば、すすぎ工程無しで洗い工程で風呂水利用)であるかどうかを判断する（ステップＳ３８）。マイクロコンピュータ１３は、現在の風呂水給水が最終給水の設定であると判断すると、吸水側ポンプ弁７を閉じ、吐出側ポンプ弁７ｂを開き、水道水弁６ｂを風呂水ポンプ９内に水道水が行渡るまで（例えば１０〜１５秒間）開き、水道水を風呂水ポンプ９内に通水しながら、水道栓に水道水が逆流しない程度に風呂水ポンプ９をパルス駆動により低速回転・振動運転で制御する（ステップＳ３９)。これにより、風呂水ポンプ９内の風呂水に由来するヌメリ等が洗浄される。
【００４５】
なお、この際に、マイクロコンピュータ１３は、吸水側ポンプ弁７は開いていてもよい。吸水側ポンプ弁７を開いておくことで、水道水は、水の流れが悪い風呂水給水口３やお湯取ホースＨまで水道水を行き渡らせ、ヌメリやノロウィルスの発生を抑え、風呂水ポンプ内の詰まりを抑制する。
マイクロコンピュータ１３は、一定時間、風呂水ポンプ９を洗浄すると、すすぎ工程に進む。
また、マイクロコンピュータ１３は、ステップＳ３８で、現在の風呂水給水が最終給水の設定ではないと判断すると、風呂水ポンプ９を洗浄することなく、洗い工程を終了して（ステップＳ４０）、図７のステップＳ１５のすすぎ工程に進む。
【００４６】
なお、ステップＳ３８およびステップＳ３９において、最終の風呂水給水だけ風呂水ポンプ９を洗浄する仕様ではなく、風呂水給水毎に風呂水ポンプ９を洗浄するとする仕様であってもよい。
風呂水給水毎に風呂水ポンプ９の洗浄を行うことで、風呂水ポンプ９の洗浄効果をさらに向上させることができる。
次に、マイクロコンピュータ１３は、風呂水ポンプ洗浄工程を含むすすぎ工程を適宜行う（ステップＳ１５）。
【００４７】
すなわち、マイクロコンピュータ１３は、図９のフローチャートに示すように、すすぎ工程において、排水弁８を開くことにより、洗い工程で回転ドラム３１および外槽３２内に溜めた水を排水する。マイクロコンピュータ１３は、回転ドラム３１および外槽３２内に水が無くなったと、水位センサ１６からの信号に基づいて判断すると、駆動回路１９を制御することでモータ１２を制御して、回転ドラム３１を回転させて脱水を行う（ステップＳ５１）。
【００４８】
脱水後、マイクロコンピュータ１３は、再び回転ドラム３１および外槽３２に給水を行うが（ステップＳ５２）、このとき、洗い工程と同様に、運転前に風呂水での給水が設定されているかどうかを判断する（ステップＳ５３)。マイクロコンピュータ１３は、運転前に風呂水での給水が設定されていると判断すると、吸水側ポンプ弁７および吐出側ポンプ弁７ｂを開き、水道水弁６ｂを閉じ、主給水弁６を開き、風呂水ポンプ９を起動して、風呂水を用いて回転ドラム３１および外槽３２に給水を行う（ステップＳ５４)。
【００４９】
マイクロコンピュータ１３は、ステップＳ５３で、風呂水での給水が設定されていないと判断すると、吸水側ポンプ弁７および吐出側ポンプ弁７ｂを閉じ、水道水弁６ｂを開き、主給水弁６を開き、風呂水ポンプ９を起動せずに、水道水を回転ドラム３１および外槽３２に給水する（ステップＳ５５）。
【００５０】
マイクロコンピュータ１３は、回転ドラム３１および外槽３２に必要な分だけ水が溜まったと水位センサ１６からの信号に基づいて判断すると、水道水の給水時に開いた水道水弁６ｂまたは風呂水の給水時に開いた吸水側ポンプ弁７および吐出側ポンプ弁７ｂ（風呂水の場合）を閉じ、主給水弁６を閉じて、駆動回路１９を制御することでモータ１２を制御して、すすぎの攪拌パターンを実行する（ステップＳ５６)。
【００５１】
マイクロコンピュータ１３は、すすぎの攪拌が終了したと判断すると、現在の風呂水給水が最終給水の設定(例えば、すすぎ給水の設定回数の最後の給水である場合)であるかどうかを判断する（ステップＳ５７）。
マイクロコンピュータ１３は、現在の風呂水給水が最終給水の設定であると判断すると、吸水側ポンプ弁７を閉じ、吐出側ポンプ弁７ｂを開き、水道水弁６ｂを風呂水ポンプ９内に水道水が行渡るまで（例えば１０〜１５秒間）開き、水道水を風呂水ポンプ９内に通水しながら、水道栓に水道水が逆流しない程度に風呂水ポンプ９をパルス駆動により低速回転・振動運転で制御する（ステップＳ５８)。マイクロコンピュータ１３は、一定時間、風呂水ポンプ９を洗浄すると、すすぎ工程を終了する（ステップＳ５９）。
【００５２】
これにより、風呂水ポンプ９内の風呂水に由来するヌメリ等が洗浄される。なお、この際に、吸水側ポンプ弁７は開いていてもよいことは、洗い工程の場合と同様である。吸水側ポンプ弁７を開いておくことで、水の流れが悪い風呂水給水口３やお湯取ホースＨ、通水管路２６の主給水弁６付近まで水道水を行き渡らせ、ヌメリやノロウィルスの発生を抑え、風呂水ポンプ内の詰まりを抑制することができる。
【００５３】
また、マイクロコンピュータ１３は、ステップＳ５７で、現在の風呂水給水が最終給水の設定ではないと判断すると、風呂水ポンプ９を洗浄することなく、次の工程に進む。
しかし、上述したように、ステップＳ５７において、最終の風呂水給水だけ風呂水ポンプ９を洗浄する仕様ではなく、風呂水給水毎に風呂水ポンプ９を洗浄するとする仕様であってもよい。
風呂水給水毎の風呂水ポンプ９の洗浄を行うことにより、風呂水ポンプ９の洗浄効果をさらに向上させることができる。
【００５４】
マイクロコンピュータ１３は、すすぎ工程終了後、運転前に設定されたコースに従って、脱水工程を実行する（ステップＳ１６）。
また、マイクロコンピュータ１３は、脱水工程終了後、運転前に設定されたコースに従って、乾燥工程を実行する（ステップＳ１７）。マイクロコンピュータ１３は、運転終了後に電源を自動的に切る。
【００５５】
（本発明の一実施形態に係る風呂水ポンプの洗浄処理による効果）
本発明の一実施形態に係る洗濯機Ｓは、上述した風呂水ポンプの洗浄処理を行うことにより、使用者の特別な操作を必要とせず、風呂水ポンプ内に風呂水由来のヌメリやノロウィルスを水道水により効果的に洗浄することができる。これにより、風呂水ポンプを詰らせることなく、風呂水給水を確実に行うことができる洗濯機を提供する。
【００５６】
以上、本発明について実施形態に基づいて説明したが、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、一方の実施形態の構成の一部を他方の実施形態の構成に置き換えることが可能であり、また、一方の実施形態の構成に他方の実施形態の構成を加えることも可能である。
【００５７】
例えば、上述した実施形態では、風呂水ポンプ９の洗浄は、風呂水最終給水だけとなっているが、風呂水給水毎に風呂水ポンプ９の洗浄を行うことでもよい。
こうすることで、一度だけ風呂水ポンプ９の洗浄を行う場合より、洗浄効果を一層向上させることができる。
【００５８】
また、上述した実施形態では、風呂水ポンプ９の洗浄は、使用者の洗浄の指示がなくとも、風呂水給水を実行するとこれに伴って自動的にマイクロコンピュータ１３の制御により行われている。しかし、表示操作部１の任意のスイッチを操作することにより、使用者が洗浄したいときに風呂水ポンプ９の洗浄を行うこともできるとする仕様でもよい。
これにより、使用者の任意のタイミングで、一層効果的な風呂水ポンプ９の洗浄を行うことができる。
【００５９】
さらに、上述した実施形態では、これら風呂水ポンプ９の洗浄のタイミング、頻度、洗浄時間等は、予め不揮発性記憶装置１４のプログラム中の設定値により与えられている。
しかし、表示操作部１の任意のスイッチを操作することにより、風呂水ポンプ９の洗浄のタイミング、頻度、洗浄時間等のプログラムの設定値を変更することができる仕様でもよい。
これにより、使用者の風呂水等の状態に適合した、一層効果的な風呂水ポンプ９の洗浄を行うことができる。
【符号の説明】
【００６０】
Ｓ        洗濯機
１        表示操作部
２        給水口
３        風呂水給水口
５        リレー
６        主給水弁
６ｂ      水道水弁
７        吸水側ポンプ弁
７ｂ      吐出側ポンプ弁
８        排水弁
９        風呂水ポンプ
１０      循環ポンプ
１１      蓋ロック
１２      モータ
１３      マイクロコンピュータ（制御部）
１４      不揮発性記憶装置
１５      蓋ロック検知センサ
１６      水位センサ
１７      振動センサ
１８      回転センサ
２０      操作スイッチ
２１      ＬＥＤ表示回路
２２      ブザー回路
２３      モータ電流センサ
３１      回転ドラム（洗濯槽）
３２      外槽（洗濯槽）
３３      循環シャワーノズル
３４      循環シャワーノズル
３５      通水管路
３５ｂ    通水管路
３６      接続ホース
３７      接続ホース
３８      給水弁
３９      循環ダクト（戻り風路，乾燥装置）
４０      排水ホース
４１      管路
【図１】
2014223130.tif 000003
【図２】
2014223130.tif 000004
【図３】
2014223130.tif 000005
【図４】
2014223130.tif 000006
【図５】
2014223130.tif 000007
【図６】
2014223130.tif 000008
【図７】
2014223130.tif 000009
【図８】
2014223130.tif 000010
【図９】
2014223130.tif 000011